(57)【要約】【課題】取付部材や、取付部材近傍の構成部品に生じる不具合を防止する。【解決手段】遊技機は、互いに開閉可能な中枠１０４および前枠１０６と、カバー（取付部材）２００と、中枠１０４に設けられ、カバー２００が所定の取り付け方向に押し込まれることで、カバー２００を中枠１０４の固定位置に固定する固定部と、カバー２００に設けられた被押圧部２３０と、前枠１０６に設けられ、カバー２００が固定位置よりも取り付け方向の手前側にある状態で、中枠１０４と前枠１０６とが閉じられると、カバー２００の被押圧部２３０に接触する押圧部１７４と、を備え、押圧部１７４が被押圧部２３０に接触した状態で中枠１０４と前枠１０６とがさらに閉じられると、カバー２００が、被押圧部２３０を介して押圧部１７４によって固定位置まで取り付け方向に押し込まれる。【選択図】図５
2015116392.tif 000002
【特許請求の範囲】
【請求項１】
構成部品が取り付けられる第１開閉体および第２開閉体を有し、該第１開閉体および該第２開閉体の少なくとも一方は、幅方向の一端側に回転軸が設けられ幅方向の他端側を開放端とし、該第１開閉体および該第２開閉体が互いに閉じられた閉状態にあるとき、該第１開閉体の第１の面と該第２開閉体の第２の面とが正対し、該第１開閉体および該第２開閉体が互いに開かれた開状態にあるとき、該第１の面と該第２の面とが該閉状態よりも離隔する遊技機であって、
前記第１開閉体に取り付けられた前記構成部品を被覆する部材、あるいは、該第１開閉体に取り付ける該構成部品が組み込まれた部材である取付部材と、
前記第１開閉体に設けられ、前記取付部材が所定の取り付け方向に押し込まれることで、該取付部材を該第１開閉体の固定位置に固定する固定部と、
前記取付部材に設けられた被押圧部と、
前記第２開閉体に設けられ、少なくとも前記取付部材が前記固定位置よりも前記取り付け方向の手前側にある状態で、該第２開閉体と前記第１開閉体とが前記開状態から前記閉状態に向けて閉じられると、該取付部材の前記被押圧部に接触する押圧部と、
を備え、
前記押圧部が前記被押圧部に接触した状態で前記第２開閉体と前記第１開閉体とがさらに前記閉状態に向けて閉じられると、前記取付部材が、前記被押圧部を介して該押圧部によって前記固定位置まで前記取り付け方向に押し込まれることを特徴とする遊技機。
【請求項２】
前記取り付け方向は、前記第１の面の面方向と平行な方向であることを特徴とする請求項１に記載の遊技機。
【請求項３】
前記被押圧部は、前記閉状態において、前記第１開閉体側に位置する基端よりも前記第２開閉体側に位置する先端が前記取り付け方向の前方側となるように傾斜した傾斜面で構成されていることを特徴とする請求項１または２に記載の遊技機。
【請求項４】
前記押圧部は、前記閉状態において、前記第２開閉体側に位置する基端よりも前記第１開閉体側に位置する先端が前記取り付け方向の後方側となるように傾斜した傾斜面で構成されていることを特徴とする請求項１または２に記載の遊技機。
【請求項５】
前記第１開閉体および前記取付部材には、該取付部材の前記取り付け方向への移動をガイドするガイド機構が設けられていることを特徴とする請求項１から４のいずれか１項に記載の遊技機。
【請求項６】
前記取付部材は、遊技球が通過する遊技球通路の少なくとも一部を被覆することを特徴とする請求項１から５のいずれか１項に記載の遊技機。
【発明の詳細な説明】
【技術分野】
【０００１】
本発明は、構成部品が取り付けられる第１開閉体および第２開閉体を有する遊技機に関する。
【背景技術】
【０００２】
従来、遊技者のハンドル操作により遊技盤内の遊技領域に向かって遊技球が発射され、遊技領域を流下した遊技球が始動口に入球したことを条件として大役抽選が行われ、この大役抽選により大当たりに当選すると、大入賞口が開放される大役遊技が実行可能となる遊技機が知られている。大役遊技では、大入賞口への遊技球の入球が可能となるので、遊技者は、多くの賞球の払出しを受けることが可能となる。
【０００３】
このような遊技機は、外枠と、この外枠にヒンジ機構によって開閉自在に取り付けられた中枠と、この中枠にヒンジ機構によって開閉自在に取り付けられた前枠と、を含んで構成され、外枠、中枠、前枠が閉じられた状態で、遊技者は前枠に正対することとなり、前枠に設けられた透過板を通じて、中枠に設けられた遊技盤を視認することとなる。
【０００４】
また、遊技機の外枠、中枠、前枠には、遊技球が通過する遊技球通路を覆うカバーや、主に遊技の進行を制御する基板、演出を制御する基板をはじめとする多数の取付部材が取り付けられる（例えば、特許文献１）。
【先行技術文献】
【特許文献】
【０００５】
【特許文献１】特開２０１３−２２６４５２号公報
【発明の概要】
【発明が解決しようとする課題】
【０００６】
外枠、中枠、前枠といった互いに開閉自在な開閉体には、多数の取付部材が取り付けられることから、各種部材の設置スペースは制約された状況にある。こうした状況下において、仮に取付部材がしっかりと固定されずに、本来の固定位置からずれた状態にあると、開閉体を閉じたときに、取付部材や、周囲の構成部品等に意図しない荷重がかかり、取付部材や構成部品が破損したり、機能が損なわれたりして、不具合を起こすおそれがある。
【０００７】
本発明の目的は、取付部材や、取付部材近傍の構成部品に生じる不具合を防止することができる遊技機を提供することである。
【課題を解決するための手段】
【０００８】
上記課題を解決するために、本発明の遊技機は、構成部品が取り付けられる第１開閉体および第２開閉体を有し、該第１開閉体および該第２開閉体の少なくとも一方は、幅方向の一端側に回転軸が設けられ幅方向の他端側を開放端とし、該第１開閉体および該第２開閉体が互いに閉じられた閉状態にあるとき、該第１開閉体の第１の面と該第２開閉体の第２の面とが正対し、該第１開閉体および該第２開閉体が互いに開かれた開状態にあるとき、該第１の面と該第２の面とが該閉状態よりも離隔する遊技機であって、前記第１開閉体に取り付けられた前記構成部品を被覆する部材、あるいは、該第１開閉体に取り付ける該構成部品が組み込まれた部材である取付部材と、前記第１開閉体に設けられ、前記取付部材が所定の取り付け方向に押し込まれることで、該取付部材を該第１開閉体の固定位置に固定する固定部と、前記取付部材に設けられた被押圧部と、前記第２開閉体に設けられ、少なくとも前記取付部材が前記固定位置よりも前記取り付け方向の手前側にある状態で、該第２開閉体と前記第１開閉体とが前記開状態から前記閉状態に向けて閉じられると、該取付部材の前記被押圧部に接触する押圧部と、を備え、前記押圧部が前記被押圧部に接触した状態で前記第２開閉体と前記第１開閉体とがさらに前記閉状態に向けて閉じられると、前記取付部材が、前記被押圧部を介して該押圧部によって前記固定位置まで前記取り付け方向に押し込まれることを特徴とする。
【０００９】
前記取り付け方向は、前記第１の面の面方向と平行な方向であるとしてもよい。
【００１０】
前記被押圧部は、前記閉状態において、前記第１開閉体側に位置する基端よりも前記第２開閉体側に位置する先端が前記取り付け方向の前方側となるように傾斜した傾斜面で構成されているとしてもよい。
【００１１】
前記押圧部は、前記閉状態において、前記第２開閉体側に位置する基端よりも前記第１開閉体側に位置する先端が前記取り付け方向の後方側となるように傾斜した傾斜面で構成されているとしてもよい。
【００１２】
前記第１開閉体および前記取付部材には、該取付部材の前記取り付け方向への移動をガイドするガイド機構が設けられているとしてもよい。
【００１３】
前記取付部材は、遊技球が通過する遊技球通路の少なくとも一部を被覆するとしてもよい。
【発明の効果】
【００１４】
本発明によれば、取付部材や、取付部材近傍の構成部品に生じる不具合を防止することができる。
【図面の簡単な説明】
【００１５】
【図１】遊技機の斜視図である。
【図２】遊技機の正面図である。
【図３】カバーを取り付けた遊技機の斜視図である。
【図４】カバーを説明するための図である。
【図５】押圧部による被押圧部の押し込みを説明するための図である。
【図６】変形例にかかる押圧部による被押圧部の押し込みを説明するための図である。
【発明を実施するための形態】
【００１６】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１７】
図１は、本実施形態の遊技機１００の斜視図であり、前枠１０６が開放された状態を示している。図２は、遊技機１００の正面図である。以下、図中±Ｙ方向を遊技機１００の幅方向とし、図中±Ｘ方向を奥行方向とし、図中±Ｚ方向を鉛直方向として説明する。また、遊技機１００のうち、図中＋Ｘ側を前面側または正面側とし、図中−Ｘ側を背面側とする。
【００１８】
図示のように、遊技機１００は、略矩形状に組まれた四辺によって囲繞空間が形成される外枠１０２と、この外枠１０２にヒンジ機構によって、幅方向の一端側（図中−Ｙ側）に回転軸が設けられ、幅方向の他端側（図中＋Ｙ側）を開放端として、開閉自在に取り付けられた中枠１０４と、この中枠１０４に、ヒンジ機構によって、幅方向の一端側（図中−Ｙ側）に回転軸が設けられ、幅方向の他端側（図中＋Ｙ側）を開放端として、開閉自在に取り付けられた前枠１０６とを備えている。
【００１９】
中枠１０４は、外枠１０２と同様に、略矩形状に組まれた四辺によって囲繞空間が形成されており、この囲繞空間に遊技盤１０８が保持されている。また、前枠１０６には、ガラス製または樹脂製の透過板１１０が保持されている。そして、これら中枠１０４および前枠１０６を外枠１０２に対して閉じると、遊技盤１０８（第１の面）と透過板１１０（第２の面）とが所定の間隔を維持して略平行に正対するとともに、遊技機１００の正面側から、透過板１１０を介して遊技盤１０８が視認可能となる。以下、中枠１０４および前枠１０６が互いに閉じられた状態を閉状態とし、互いに開かれた状態を開状態と称する。
【００２０】
前枠１０６の下部には、遊技機１００の正面側（図中＋Ｘ方向）に突出する操作ハンドル１１２が設けられている。この操作ハンドル１１２は、遊技者が回転操作可能に設けられており、遊技者が操作ハンドル１１２を回転させて発射操作を行うと、当該操作ハンドル１１２の回転角度に応じた強度で、不図示の発射機構によって遊技球が発射される。このようにして発射された遊技球は、遊技盤１０８に設けられたレール１１４ａ、１１４ｂ間を上昇して、遊技領域１１６に導かれることとなる。
【００２１】
遊技領域１１６は、中枠１０４と前枠１０６とが閉じられた閉状態において、遊技盤１０８と透過板１１０との間に形成される空間であって、遊技球が流下または転動可能な領域である。遊技盤１０８には、多数の釘や風車が設けられており、遊技領域１１６に導かれた遊技球が釘や風車に衝突して、不規則な方向に流下、転動するようにしている。
【００２２】
また、遊技領域１１６には、遊技球が入球可能な、不図示の始動口や大入賞口等が設けられており、操作ハンドル１１２を介して、遊技領域１１６に遊技球が発射され、始動口に遊技球が入球すると、大入賞口が開放される大役遊技の実行可否の抽選が行われる。こうした抽選結果は、遊技盤１０８に設けられた液晶表示器や、前枠１０６に設けられたスピーカ、照明装置等を用いて実行される演出によって遊技者に報知されることとなる。これら始動口、大入賞口に遊技球が入球すると、それぞれ所定の賞球が遊技者に払い出されることとなる。
【００２３】
遊技領域１１６の最下部には、始動口、大入賞口のいずれにも入球しなかった遊技球を、遊技領域１１６から遊技盤１０８の背面側に排出する排出口１３０が設けられている。
【００２４】
図２中符号１３２は、遊技機１００から払い出される賞球や、遊技球貸出装置から貸し出される遊技球が導かれる上皿であり、この上皿１３２が遊技球で一杯になると、遊技球は下皿１３４に導かれることとなる。また、この下皿１３４の底面には、当該下皿１３４から遊技球を排出するための球抜き孔（不図示）が形成されている。この球抜き孔は、通常、開閉板（不図示）によって閉じられているが、球抜きつまみ１３４ａを図中−Ｘ方向に押圧することにより、当該球抜きつまみ１３４ａと一体となって開閉板がスライドし、球抜き孔から下皿１３４の下方に遊技球を排出することが可能となっている。
【００２５】
遊技機１００から払い出される賞球の通過経路について、詳細に説明すると、遊技機１００から払い出される賞球は、図１に示す、中枠１０４に設けられた払出口１５０ａ、前枠１０６に設けられた払出口１５０ｂを通じて、上皿１３２に導かれる。つまり、閉状態において、払出口１５０ａと、払出口１５０ｂとは連通することとなる。そして、上皿１３２が遊技球で一杯になると、遊技球は、中枠１０４に設けられた遊技球通路１６０に導かれる。遊技球通路１６０に導かれた遊技球は、前枠１０６の受部１５２に設けられた払出口１５２ａを通じて、下皿１３４に導かれることとなる。
【００２６】
また、遊技球通路１６０には、シャッター１６２が設けられており、シャッター１６２は、中枠１０４と前枠１０６とが互いに開かれた開状態において、遊技球通路１６０の下流側端部を閉鎖して、遊技球通路１６０外への遊技球のこぼれ落ちを防止する。一方、シャッター１６２は、閉状態において、受部１５２によって、遊技機１００の背面側（図中−Ｘ方向）に押止されることで、遊技球通路１６０の閉鎖を解除し、遊技球の遊技球通路１６０から下皿１３４への転動を可能とする。
【００２７】
また、遊技球通路１６０には、下皿１３４の満タン状態を検出する皿満タン検出スイッチ１６４が設けられている。皿満タン検出スイッチ１６４は、下皿１３４に所定量以上の遊技球が貯留されて満タン状態になると、下皿１３４に向かう遊技球通路１６０内に遊技球が滞留し、皿満タン検出スイッチ１６４から遊技球検出信号が連続的に出力される。そして、遊技球検出信号の連続的な出力に基づいて、下皿１３４から遊技球を排出させるように、球抜きつまみ１３４ａの操作を促す旨を示す画像や、音声等が、遊技機１００に設けられた液晶表示器やスピーカ等から出力されることとなる。
【００２８】
さらに、図１に示すように、中枠１０４には、遊技球通路１６０、皿満タン検出スイッチ１６４を被覆するカバー（取付部材）２００が取り付けられている。カバー２００は、図１中、白抜き矢印で示す、所定の取り付け方向（ここでは、鉛直下方向、＋Ｚ方向）に押し込まれることで、中枠１０４に設けられた固定部２５０によって、固定位置に固定されることとなる。
【００２９】
図３は、カバー２００を取り付けた遊技機１００の斜視図を示す。図３に示すように、カバー２００が、遊技球通路１６０、皿満タン検出スイッチ１６４を被覆する構成により、中枠１０４と前枠１０６とが閉状態から開状態に向けて開かれたときに、遊技球通路１６０外への遊技球のこぼれ落ちを防止することができる。また、カバー２００を設ける構成により、遊技機１００の外部からカバー２００の内部へのハリガネ等の異物の侵入を防止することが可能となる。
【００３０】
このように、カバー２００は、中枠１０４の所定の固定位置に固定されることとなるが、取り付け方向への押し込み力が足りないと、カバー２００が、固定位置よりも取り付け方向の手前側に、ここでは、固定位置よりも鉛直上方（図中−Ｚ方向）に、中途半端に嵌まってしまうことがある。そして、カバー２００が中途半端に嵌まった状態で、中枠１０４に対して前枠１０６を閉じると、前枠１０６を構成する構成部品によって、カバー２００に想定外の押圧力がかかりカバー２００自体が破損したり、カバー２００が意図しない方向に移動してカバー２００近傍の構成部品（例えば、遊技球通路１６０、シャッター１６２、皿満タン検出スイッチ１６４等）が破損したり、カバー２００近傍の構成部品の本来の機能が損なわれたりする等の不具合が生じるおそれがある。
【００３１】
そこで、本実施形態では、カバー２００が中途半端に嵌まった状態で、前枠１０６を閉じたとしても、カバー２００を固定位置まで移動させることが可能な構成について説明する。
【００３２】
図４は、カバー２００を説明するための図であり、図４（ａ）は、カバー２００の正面側斜視図を、図４（ｂ）はカバー２００の背面側斜視図を示す。
【００３３】
図４に示すように、カバー２００は、遊技球通路１６０、皿満タン検出スイッチ１６４を被覆するカバー本体２１０を備えている。カバー本体２１０の上面および側面には、遊技機１００の背面側に延在したリブ２１２が設けられている。リブ２１２は、遊技機１００の外部からのハリガネ等の異物の侵入を防止する機能を有する。また、図４（ｂ）に示すように、カバー本体２１０の背面側には、遊技球通路１６０の一部を構成する通路構成部２１４が形成されている。
【００３４】
カバー本体２１０の下部には、被固定部２２０が設けられており、被固定部２２０が、中枠１０４に設けられた固定部２５０に押し込まれることで、カバー２００が固定部２５０に固定され、中枠１０４の所定の固定位置に固定されることとなる。詳細に説明すると、被固定部２２０の下端には爪２２２が設けられており、カバー２００が固定部２５０に対して取り付け方向に押し込まれると、その過程で、爪２２２が固定部２５０（図１参照）に接触して、被固定部２２０が背面側（図中−Ｘ方向）に弾性変形する。そして、カバー２００がさらに押し込まれると、被固定部２２０の爪２２２と固定部２５０との接触が解除され、爪２２２が固定部２５０に係止されて、カバー２００が固定部２５０に固定されることとなる。
【００３５】
さらに、カバー本体２１０の上部には、被押圧部２３０が設けられている。被押圧部２３０は、少なくともカバー２００が固定位置よりも取り付け方向の手前側にある状態で、前枠１０６と中枠１０４が開状態から閉状態に向けて閉じられると、前枠１０６に設けられた押圧部材１７０（図１、図５参照）の押圧部１７４に接触する。
【００３６】
図５は、押圧部１７４による被押圧部２３０の押し込みを説明するための図であり、図２のＶ−Ｖ線におけるＶ矢視図の部分拡大図を示す。なお、図５中、理解を容易にするために、押圧部材１７０を黒い塗りつぶしで、被押圧部２３０をグレーの塗りつぶしで示す。また、図５中、中枠１０４と、前枠１０６との距離をＲで、カバー２００の被押圧部２３０の下端と中枠１０４との距離をＳで示す。なお、ここでは、理解を容易にするために、中枠１０４に固定された他の部品１０４ａを中枠１０４とみなして距離Ｓを示す。
【００３７】
図５に示すように、前枠１０６の透過板１１０は、二重構造となっており、透過板１１０の下部に、押圧部材１７０が挟持されている。押圧部材１７０には、遊技機１００の背面側に突出する突出部１７２が設けられている。突出部１７２の底面は、前枠１０６側に位置する基端から中枠１０４側に位置する先端に向かうに従って鉛直上方（図中−Ｚ方向）に傾斜しており、図５（ａ）に示すように、少なくともカバー２００が固定位置よりも取り付け方向の手前側にある状態、すなわち、固定位置よりも鉛直上方にある状態で、前枠１０６と中枠１０４とが開状態から閉状態に向けて閉じられると、カバー２００の被押圧部２３０が、突出部１７２の下端（押圧部１７４）に接触する。
【００３８】
被押圧部２３０は、閉状態において、中枠１０４側に位置する基端よりも前枠１０６側に位置する先端が取り付け方向（図中＋Ｚ方向）の前方側となるように傾斜した傾斜面で構成されている。したがって、図５（ａ）に示すように、押圧部１７４は、まず、被押圧部２３０における先端に接触することとなる。
【００３９】
そして、図５（ａ）の状態からさらに閉状態に向けて閉じられると、押圧部１７４と被押圧部２３０との接触位置は、被押圧部２３０の基端側に移動し、前枠１０６と中枠１０４とが互いに閉じられる方向（図中−Ｘ方向）の力が押圧部１７４を介して、被押圧部２３０に作用する。そうすると、被押圧部２３０において、前枠１０６と中枠１０４とが互いに閉じられる方向の力が、カバー２００を固定部２５０に取り付ける方向（取り付け方向（図中＋Ｚ方向））の力に変換されて、図５（ｂ）に示すように、カバー２００が、取り付け方向に押し込まれる。すなわち、カバー２００が、被押圧部２３０を介して押圧部１７４によって、取り付け方向に押し込まれる。したがって、図５（ａ）の状態と比較して、図５（ｂ）の状態の方が、距離Ｓが短くなることとなる。
【００４０】
図５（ｂ）の状態からさらに閉状態に向けて閉じられると、押圧部１７４と被押圧部２３０との接触位置は、さらに被押圧部２３０の基端側に移動し、図５（ｃ）に示すように、カバー２００が、被押圧部２３０を介して押圧部１７４によって、固定位置まで取り付け方向に押し込まれることとなる。
【００４１】
以上説明したように、本実施形態にかかる遊技機１００によれば、押圧部１７４が被押圧部２３０に接触した状態で前枠１０６と中枠１０４とがさらに閉状態に向けて閉じられると、カバー２００が、被押圧部２３０を介して押圧部１７４によって固定位置まで取り付け方向に押し込まれる。このため、カバー２００が予め定められた固定位置よりも取り付け方向の手前側にある状態で、前枠１０６と中枠１０４とを閉じたとしても、カバー２００を固定位置に移動させることができ、カバー２００や、カバー２００近傍の構成部品に生じる不具合を防止することが可能となる。
【００４２】
また、被押圧部２３０が、閉状態において、基端よりも先端が取り付け方向の前方側となるように傾斜した傾斜面で構成されることにより、押圧部１７４からの、前枠１０６と中枠１０４とが互いに閉じられる方向の力を、連続的に被押圧部２３０に作用させることができ、カバー２００をスムーズに固定位置まで移動させることが可能となる。
【００４３】
さらに、図４に戻って説明すると、カバー２００には、ガイド溝２４０が形成されている。ガイド溝２４０は、中枠１０４に設けられた不図示のガイド突起とスライド自在に嵌合し、ガイド突起とともに、カバー２００の取り付け方向への移動を案内するガイド機構として機能する。カバー２００がガイド機構を備える構成により、取り付け方向に移動する際の位置ズレを規制することが可能となる。
【００４４】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【００４５】
例えば、上記実施形態では、第１開閉体として中枠１０４を、第２開閉体として前枠１０６を例に挙げて説明した。しかし、第１開閉体および第２開閉体は、構成部品が取り付けられ、第１開閉体および第２開閉体の少なくとも一方は、幅方向の一端側に回転軸が設けられ幅方向の他端側を開放端とし、第１開閉体および該第２開閉体が互いに閉じられた閉状態にあるとき、第１開閉体の第１の面と第２開閉体の第２の面とが正対し、第１開閉体および第２開閉体が互いに開かれた開状態にあるとき、第１の面と第２の面とが閉状態よりも離隔する開閉体であれば、外枠１０２、中枠１０４、前枠１０６、その他、遊技機１００を構成する開閉体のうち、いずれか２の開閉体であればよい。
【００４６】
また、上記実施形態では、取付部材として、遊技球通路１６０および皿満タン検出スイッチ１６４を被覆するカバー２００を例に挙げて説明した。しかし、取付部材は、カバー２００に限らず、第１開閉体に取り付けられた構成部品を被覆する部材、あるいは、第１開閉体に取り付ける構成部品が組み込まれた部材であればよい。
【００４７】
また、上記実施形態では、取付部材の取り付け方向が、鉛直下方（＋Ｚ方向）になる場合を例に挙げて説明したが、取り付け方向に限定はない。例えば、取付部材の取り付け方向は、鉛直上方、水平方向等、第１開閉体の第１の面の面方向と平行な方向であってもよいし、第１開閉体の第１の面の面方向と平行な方向でなくともよい。
【００４８】
また、上記実施形態では、被押圧部２３０が傾斜面で構成され、押圧部材１７０の突出部１７２の底面が傾斜しており、突出部１７２の下端が押圧部１７４として機能する構成について説明した。しかし、突出部１７２の底面は必ずしも傾斜している必要はない。例えば、図６（ａ）に示すように、押圧部材３７０が取り付け方向（図中＋Ｚ方向）に突出しており、その底面が押圧部３７４として機能するように構成してもよい。
【００４９】
また、上記実施形態では、被押圧部２３０が傾斜面で構成される場合を例に挙げて説明したが、被押圧部２３０は傾斜面で構成されずともよい。例えば、図６（ｂ）に示すように、押圧部材４７０の押圧部４７４を、閉状態において、第２開閉体（前枠１０６）側に位置する基端よりも第１開閉体（中枠１０４）側に位置する先端が取り付け方向（図中、＋Ｚ方向）の後方側となるように傾斜した傾斜面で構成し、被押圧部４３０を、取り付け方向と逆の方向（図中−Ｚ方向）に突出した突出部の上面で構成するとしてもよい。なお、この場合、取付部材が固定位置よりも取り付け方向の手前側にある状態で、第１開閉体と第２開閉体とが開状態から閉状態に向けて閉じられると、取付部材の被押圧部４３０は、まず、押圧部４７４の先端に接触することとなり、さらに閉状態に向けて閉じられると、押圧部４７４と被押圧部４３０との接触位置は、押圧部４７４の基端側に移動する、すなわち、押圧部４７４と被押圧部４３０との接触位置は、図６（ｂ）において、右から左に移動することとなる。
【００５０】
また、上記実施形態において、カバー２００および中枠１０４が、カバー２００の取り付け方向への移動をガイドするガイド機構を備える構成について説明したが、ガイド機構は必須の構成ではない。
【符号の説明】
【００５１】
１００  遊技機
１０４  中枠（第１開閉体）
１０６  前枠（第２開閉体）
１６０  遊技球通路
１７４、３７４、４７４  押圧部
２００  カバー（取付部材）
２３０、４３０  被押圧部
２４０  ガイド溝（ガイド機構）
２５０  固定部
【図１】
2015116392.tif 000003
【図２】
2015116392.tif 000004
【図３】
2015116392.tif 000005
【図４】
2015116392.tif 000006
【図６】
2015116392.tif 000007
【図５】
2015116392.tif 000008